(57)【要約】  本発明は、魚に電流を直接印加して、魚体を損傷することなく魚の寄生虫を除去するための装置について記載するものである。該装置は、  入出領域（１）と、  印加領域（２）と、  カーテン電極（３）および／またはグリル電極（３ｂ）と、  制御領域（４）と、  噴射ノズル（５）と、  戻り斜面路（９）と、  捕捉フィルタ（６）と、  貯水池（７）と、  ポンプ（８）と、  出口（１０）と、を有し、  前記入出領域（１）は、魚を運んできた水から魚を分離するための領域であり、  前記印加領域（２）は、前記入出領域（１）と結合し、魚が通過する領域であり、  前記カーテン電極（３）および／またはグリル電極（３ｂ）は、魚が前記印加領域（２）を通過する際に接触する電極であって、前記印加領域（２）に配置され、魚に電流を印加するものであり、  前記制御装置（４）は、魚体を損傷することなく寄生虫を除去するために魚に印加する電流、電圧、電気周波数を調整し設定するものであり、  前記噴射ノズル（５）は、前記印加領域（２）に設置され、魚に水をスプレーして寄生虫を落とし、前記戻り斜面路（９）へ移動させるものであり、  前記戻り斜面路（９）は、前記印加領域（２）の下方に設置され、スプレーされた水およびそれに含まれる寄生虫を集めて流すためのものであり、  前記捕捉フィルタ（６）は、前記戻り斜面路（９）の排水管に設置され、寄生虫を捕捉するとともに、水のみを前記貯水池（７）へ流すものであり、  前記貯水池（７）は、前記印加領域（２）においてスプレーするための水を貯水し、前記戻り斜面路（９）を用いて水を戻すためのものであり、  前記ポンプ（８）は、前記処理領域（２）において魚にスプレーする噴射ノズルへ水を吸い上げるものであり、  前記出口（１０）は、チューブまたは管が前記印加領域（２）と結合され、寄生虫が除去された魚が生育環境へ戻るためのものであることを特徴とする。
2019535274.tif 000002
【特許請求の範囲】
【請求項１】
魚に電流を直接印加して、魚体を損傷することなく魚の寄生虫を除去するための装置であって、該装置は、
入出領域（１）と、
印加領域（２）と、
カーテン電極（３）および／またはグリル電極（３ｂ）と、
制御領域（４）と、
噴射ノズル（５）と、
戻り斜面路（９）と、
捕捉フィルタ（６）と、
貯水池（７）と、
ポンプ（８）と、
出口（１０）と、
を有し、
前記入出領域（１）は、魚を運んできた水から魚を分離するための領域であり、
前記印加領域（２）は、前記入出領域（１）と結合し、魚が通過する領域であり、
前記カーテン電極（３）および／またはグリル電極（３ｂ）は、魚が前記印加領域（２）を通過する際に接触する電極であって、前記印加領域（２）に配置され、魚に電流を印加するものであり、
前記制御装置（４）は、寄生虫を除去するために魚に印加する電流、電圧、電気周波数を調整するものであり、
前記噴射ノズル（５）は、前記印加領域（２）に設置され、魚に水または過酸化水素水をスプレーして寄生虫を落とし、前記戻り斜面路（９）へ移動させるものであり、
前記戻り斜面路（９）は、前記印加領域（２）の下方に設置され、スプレーされた水およびそれに含まれる寄生虫を集めて流すためのものであり、
前記捕捉フィルタ（６）は、前記戻り斜面路（９）の排水管に設置され、寄生虫を捕捉するとともに、水のみを前記貯水池（７）へ流すものであり、
前記貯水池（７）は、前記印加領域（２）においてスプレーするための水を貯水し、前記戻り斜面路（９）を用いて水を戻すためのものであり、
前記ポンプ（８）は、前記処理領域（２）において魚にスプレーする前記噴射ノズル（５）へ水を吸い上げるものであり、
前記出口（１０）は、寄生虫が除去された魚が通過する出口であって、チューブまたは管が前記印加領域（２）と結合され、魚が生育環境へ戻るためのものである
ことを特徴とする、魚の寄生虫を除去するための装置。
【請求項２】
カーテン電極、グリル電極、または組み合わせ電極が使用されることを特徴とする、請求項１に記載の魚の寄生虫を除去するための装置。
【請求項３】
前記グリル電極は、魚の流れ方向に対して垂直方向または対角方向とされることを特徴とする、請求項１に記載の魚の寄生虫を除去するための装置。
【請求項４】
標準装置として、前記入出領域（１）、前記印加領域（２）および前記出口（１０）を有することを特徴とする、請求項１に記載の魚の寄生虫を除去するための装置。
【請求項５】
二重処理装置として、前記入出領域（１）、２つの前記印加領域（２）および、各印加領域（２）から収束する１つの前記出口（１０）を有することを特徴とする、請求項１に記載の魚の寄生虫を除去するための装置。
【請求項６】
二重装置として、
２つの入口を有する前記入出領域（１）と、
２つの異なる前記印加領域（２）と、
２つの前記出口（１０）とを有し、
前記入出領域（１）は２つの前記印加領域（２）にそれぞれつながる入口を有し、
２つの前記印加領域（２）はそれぞれ前記出口（１０）につながっていることを特徴とする、請求項１に記載の魚の寄生虫を除去するための装置。
【請求項７】
該装置は、養魚場間の通路での移動を補助するための車輪を有するステンレス鋼よりなる構造に設置されていることを特徴とする、請求項１、２、および３のいずれか１項に記載の魚の寄生虫を除去するための装置。
【請求項８】
該装置は、船上や浮体に設置するための脚部を有することを特徴とする、請求項１、２、および３のいずれか１項に記載の魚の寄生虫を除去するための装置。
【発明の詳細な説明】
【技術分野】
【０００１】
海水魚の養魚業者は、多様な病害対策に取り組んでいるが、本発明ではとりわけ、寄生虫病に言及する。本発明では、寄生虫のなかでも、自然環境に存在して養魚場の魚に加害する、シラミなどの外部寄生虫（カリグス・ロゲルクレセイイやレペオフテイルス（サケジラミ）属）による病害について言及する。
【０００２】
シラミ（カリグスやレペオフテイルス属）による寄生虫感染症は、主にサケやマスの養魚業者にとっては深刻な問題である。魚皮にいる外部寄生虫は、魚の粘膜、魚皮および血液を餌にし、魚の表面や組織を傷つけるため、魚の成長率の低下；死；感染症や疾病素因の増加；養殖魚の品質低下といった理由による経済的損失が発生し、さらに感染症治療費に伴い養魚費用が増加する。
【０００３】
寄生虫による感染症は、チリ国だけではなく、カナダ、ノルウェーその他の北半球の国々のサーモンおよびマスの養魚業者にとって、健康上脅威である。
【０００４】
これまで、シラミ問題に対抗するために多様な処置が施されており、寄生虫病のための治療法のうち、以下のものが知られている：ワクチン治療；化学物質を餌に添加する治療；槽に薬を添加する治療。
【０００５】
槽に薬を添加する治療は、シラミに抵抗するために最も頻繁に利用される方法である。シラミに加害された魚の浴治療のための化学物質は非常に高額であるとともに、環境への影響が確認されていない。
【０００６】
現在の技術水準では、養魚の寄生虫問題に直面するために、多様な手段が周知されており、詳細なものを下記に示す：
【０００７】
Ｆｅｒｒａｎｔｉ−Ｔｈｏｍｓｏｎ  Ｓｏｎａｒ  Ｓｙｓｔｅｍｓ  Ｕ．Ｋ．Ｌｉｍｉｔｅｄによる１９９７年８月７日発行のＷＯ９７１２７７４４が記載するのは、水生生物の寄生虫感染症またはその被害を減少させるための方法および装置であって、水生生物を取り巻く環境下において一時的なキャビテーション現象を発生させ、寄生虫の成長サイクルや寿命に作用する生物学的変化を作り出すものである。魚を処理する場合は、円の周りに配置されたトランスデューサの群を有する装置であって、キャビテーション現象を発生させて、魚体を損傷することなく寄生虫を殺傷するものについて記載している。トランスデューサが生成する周波数の領域は、１ｋＨｚから１００ｋＨｚであり、キャビテーション現象を形成するための適切な周波数は、２０ｋＨｚから４０ｋＨｚである（２０ｋＨｚより高い周波数は、超音波周波数である）。
【０００８】
Ｇｒｕｐｏ  Ｍａｒｃｏ  ＳＰＡによる２０１４年８月２２日発行の２０１３０２３４５が記載するのは、魚皮に付着する寄生虫を分離するための方法であって、電子機器を通じて電流を発生させ、誘電体装置内部に間隔（スイーパとして知られる領域）をあけて反射鏡の列をつくり、電磁パルスを放射させるものである。電子機器により振動する電流を反射鏡に向かって発生させ、誘電体装置内部に伝播させて、電磁パルスを放射させる。この方法によると、水中の魚が誘電体装置内部に入り込むと、電磁パルス場にさらされ、寄生虫はその宿主から落ちることになる。この方法では、誘電体装置は常に水で満たされている必要がある。
【０００９】
ＯＣＥＡ  ＡＳによる２０１２年１１月１日発行のＷＯ２０１２／１４８２８３および２０１３年５月３１日発行のＣＬ２０１４００３０４４が記載するのは、魚のような海洋生物用のシラミ処置のための装置であって、魚と水とを分離するための分離器を備えた入口水路と、魚を運ぶための管路であって、少なくとも一部は魚のための液体槽を構成しているものと、魚と処理液とを分離するための第２の分離器と、第２の分離器の後に配置され、処理された魚を排出するための出口と、閉鎖系において処理液を循環させるための循環ポンプと、を備えるものである。液体槽を構成する管路の一部は、それぞれの液面を有する液体槽が形成されるようにＵ字形に形成されている。処理液は３０℃程度の温水でもよく、代わりにまたはそれに加えて、処理液は化学物質を添加した水でもよい。魚が管路を通って温浴または薬浴に入ると、寄生虫は魚から落ちる。
【００１０】
Ｓａｌｍｏｎｅｓ  Ｍｕｌｔｉｅｘｐｏｒｔ  Ｓ．Ａ．による２０１５年２月１３日発行の２０１４０３０４４が記載するのは、船体や船の装置や浮体の外面に設置され、魚皮にいるシラミをその場で除去するための閉鎖系多目的システムであって、給排水斜面路；内部にシリンダが設置されるとともに螺旋コンベアを有する主容器；；加熱部材；温度調整部材；排水容器；シリンダ内にいるシラミを回収するための第２容器及びフィルター、を含むものである。魚が、主容器内部の螺旋コンベアを有するシリンダ内に入ると、そこはシラミを除去するために魚が処理される液体槽の貯水池であり、魚が２８〜３８度の間の温度の処理液（水）と接触することでシラミが除去される。
【００１１】
Ｃｏｏｋｅ  Ａｑｕａｃｕｌｔｕｒｅ  ＩＮＣ．による２０１５年１０月１０日発行のＷＯ２０１５／１４３５４９が記載するのは、生きている魚からシラミを除去するための方法および装置であって、温水源と、魚が滑り降りるための斜面路と、複数の温水シャワーノズルとを含むものである。魚が斜面路の管に入ると、入口から出口まで温水シャワーに露出されることになり、温水流を魚が滑り降りるときに、魚から寄生虫が落ちることになる。水の温度は、３０〜４０度の範囲内である。
【００１２】
魚に付着した寄生虫を除去するために今日使用されている方法、システムおよび装置は、大規模な処置（魚皮の薬浴）を要し、それには費用がかかるうえに環境に悪影響を及ぼすため、ストレス度が高く、その後の維持費も相当かかる。
【００１３】
本発明は、環境にやさしく、養魚場において魚に付着した寄生虫を効果的に除去するための新しい代替手段を提供することを主な目的とする。
【００１４】
上述した方法と比較して、本発明には下記の利点がある：
−環境にやさしい：水環境に有害物質を排出しない。
−すべての寄生虫が捕えられて取り除かれる：自然環境にかえる余地はない。
−寄生虫に耐性が生じることはない：この装置による処理で耐性や抗体が生じることはない。
−ストレスを最小化する：該装置が作動すると、調整された電圧の電流に魚をさらして寄生虫が除去されるため、魚にストレスや損傷を引き起こすことはない。
−独立した養魚場（個別の生簀）の場合には船上で使用することができる。モジュール式養魚場（集合体の生簀）の場合には、その通路において使用することができる。この場合には、船を必要としないため、かなりの節約になる。
【図面の簡単な説明】
【００１５】
【図１】図１は、カーテン式電極設置型の寄生虫除去装置の構成部分の概略を示す側面図である。
【００１６】
【図２】図２は、グリル電極設置型の寄生虫除去装置の構成部分の概略を示す側面図である。
【００１７】
【図３】図３は、入口斜面路（１）と、印加領域（２）と、出口（１０）とを含む基本的な寄生虫除去装置の構成部分を示す俯瞰図である。
【００１８】
【図４】図４は、２つの印加領域を有する寄生虫除去装置であって、入口斜面路（１）と、２つの印加領域（２）がそれぞれ収束する出口（１０）とを含む装置の構成部分を示す俯瞰図である。
【００１９】
【図５】図５は、排水管を有する入口斜面路（１）と、印加領域（２）と、出口（１０）とを含む基本的な寄生虫除去装置の構成部分を示す俯瞰図である。
【００２０】
【図６】図６は、２つの養魚場で同時処理するための二重方式を有する装置の構成部分を示す俯瞰図であり、該装置は、２つの入口を有する入口斜面路（１）と、２つの印加領域（２）と、２つの独立した出口（１０）とを有し、各入口はそれぞれ独立した排水管を備えるとともに各印加領域（２）につながる。
【発明を実施するための形態】
【００２１】
本発明は、環境にやさしく、養魚場において魚に付着した寄生虫を効果的に除去するための新しい代替手段を提供することを主な目的とする。
【００２２】
本発明は、魚に電流を直接印加して、魚体を損傷することなく寄生虫を除去する装置について記載するものである。該装置は、モジュール式養魚場での移動を補助するための車輪を有するステンレス鋼よりなる構造に設置されるか、船上や浮体に設置されるための脚部を有する。
該装置は、
入出領域（１）と、
印加領域（２）と、
カーテン電極（３）および／またはグリル電極（３ｂ）と、
制御領域（４）と、
噴射ノズル（５）と、
戻り斜面路（９）と、
捕捉フィルタ（６）と、
貯水池（７）と、
ポンプ（８）と、
出口（１０）と、
を有し、
前記入出領域（１）は、魚を運んできた水から魚を分離するための領域であり、
前記印加領域（２）は、前記入出領域（１）と結合し、魚が通過する領域であり、
前記カーテン電極（３）および／またはグリル電極（３ｂ）は、魚が前記印加領域（２）を通過する際に接触する電極であって、前記印加領域（２）に配置され、魚に電流を印加するものであり、
前記制御装置（４）は、魚体を損傷することなく寄生虫を除去するために魚に印加する電流、電圧、電気周波数を調整し設定するものであり、
前記噴射ノズル（５）は、前記印加領域（２）に設置され、魚に水をスプレーして寄生虫を落とし、前記戻り斜面路（９）へ移動させるものであり、
前記戻り斜面路（９）は、前記印加領域（２）の下方に設置され、スプレーされた水およびそれに含まれる寄生虫を集めて流すためのものであり、
前記捕捉フィルタ（６）は、前記戻り斜面路（９）の排水管に設置され、寄生虫を捕捉するとともに、水のみを前記貯水池（７）へ流すものであり、
前記貯水池（７）は、前記印加領域（２）においてスプレーするための水を貯水し、前記戻り斜面路（９）を用いて水を戻すためのものであり、
前記ポンプ（８）は、前記処理領域（２）において魚にスプレーする噴射ノズルへ水を吸い上げるものであり、
前記出口（１０）は、チューブまたは管が前記印加領域（２）と結合され、寄生虫が除去された魚が生育環境へ戻るためのものである
ことを特徴とする。電極は、カーテン電極でもグリル電極でも組み合わせ電極でもよい。グリル電極は、魚の流れ方向に対して垂直方向または対角方向とされる。
【００２３】
［変形例］
＜適用例１＞
基本的な装置としては、入出領域（１）と、印加領域（２）と、出口（１０）とを有するものであり、通常の生簀ごとの処理に使用される。船上か浮体に取り付けられて、少数の養魚場を有する施設で使用したり、円形の養魚場での処理に使用したりすることが推奨される。
＜適用例２＞
作業時間を最小にするために２つの印加領域を有する装置であって、１つの入出領域（１）と、２つの印加領域（２）と、１つの出口（１０）とを有する。養魚場毎の魚数や極端な環境条件に起因して、時間的な要素が優先される場所において使用することが推奨される。
＜適用例３＞
２つの養魚場で同時処理することができる二重方式を有する装置であって、２つの入口を有しそれぞれが独立した排水管を備える１つの入出領域（１）と、２つの印加領域（２）と、２つの独立した出口（１０）とを有する。複数のモジュール式養魚場を有する施設で使用することが推奨される。２つの養魚場に対して同時処理することで、処理時間を省くことができる。
【００２４】
寄生虫除去のための本発明を駆動する方法は、下記の通りである。
【００２５】
水が流れる入出領域（１）に魚が侵入すると、魚は、印加領域（２）へと入る。印加領域（２）において、魚は、低電圧の電流を印加する電極（３または３ｂ）と接触する。低電圧の電流は、制御装置（４）によって制御される。印加の結果、寄生虫が宿主から落ちるとともに、印加領域（２）で噴射ノズルからスプレーされる噴流により、その寄生虫は戻り斜面路（９）を通過して落ち、捕捉フィルタ（６）でせき止められる。その後、寄生虫が除去された魚は印加領域を通過し、出口（１０）を通って生育環境へ戻る。
【００２６】
魚から寄生虫が除去された後、フィルターが外され、捕捉された寄生虫は除去される。寄生虫の状態によっては、養魚場（生簀）の寄生虫除去が完了したら、毎回フィルターを空にしたほうがよい。
【図１】
2019535274.tif 000003
【図２】
2019535274.tif 000004
【図３】
2019535274.tif 000005
【図４】
2019535274.tif 000006
【図５】
2019535274.tif 000007
【図６】
2019535274.tif 000008
【国際調査報告】
2019535274.tif 000009
2019535274.tif 000010
2019535274.tif 000011
2019535274.tif 000012